(57)【要約】【課題】室内機を室内壁に取り付ける通常のエアコンを建設作業の中で容易に組み付けられるようにする。【解決手段】組立式建築物の壁部材を取り付ける２本の支柱（縦方向溝状空間）間に配置でき、当該建築物の壁となる仕切り板１０を用い、この仕切り板１０の内側の室内機支持部１７に室内機１４を一体的に取付け、外側の室外機支持部１８に室外機１５を一体的に取り付けてエアコン組付けユニットを製作する。上記仕切り板１０は、鋼材からなる支持枠１０ａを有し、この支持枠１０ａに上記室内機支持部１７と室外機支持部１８を溶接等で一体に取り付ける。そして、このエアコン組付けユニットを壁部材と共に上記２本の支柱間に取り付け配置する。【選択図】図１
0003103586.tif 000002
【実用新案登録請求の範囲】
【請求項１】
組立式建築物の壁部材を取り付ける２本の支柱間に配置可能とされ、かつ当該建築物の壁となる仕切り板を用い、この仕切り板の内側にエアコン室内機を一体的に取付け、外側にエアコン室外機を一体的に取り付けてなるエアコン組付けユニット。
【請求項２】
壁部材を２本の支柱間に取り付ける組立式建築物において、
上記壁部材を取り付ける２本の支柱間に配置可能とされ、かつ当該建築物の壁となる仕切り板を用い、この仕切り板の内側にエアコン室内機を一体的に取付け、外側にエアコン室外機を一体的に取り付けてなるエアコン組付けユニットを製作し、
このエアコン組付けユニットを上記２本の支柱間に取付け配置する組立式建築物。
【請求項３】
上記仕切り板は、鋼材からなる支持体を有し、この仕切り板支持体に上記エアコン室内機を取り付けるための室内機支持部と上記エアコン室外機を取り付けるための室外機支持部を一体的に設けたことを特徴とする上記請求項１又は２記載のエアコン組付けユニット。
【考案の詳細な説明】
【技術分野】
【０００１】
本考案は、エアコンの室内機と室外機を一体的に取り扱うことができるエアコン組付けユニットと、このエアコン組付けユニットを配置する組立式建築物に関するものである。
【背景技術】
【０００２】
従来から、プレハブ、パネルハウス、ユニットハウス等と呼ばれる組立式（簡易な）建築物が事務所、店舗、仮設住宅等として建設されており、これらの組立式建築物は、塗装された壁パネル等、工場で仕上げられた構成部材を組み立てることから、組立工数が少なく、短時間に建設が完成するという利点がある。
【０００３】
【特許文献１】特開２００２−３１７９５８号公報
【考案の開示】
【考案が解決しようとする課題】
【０００４】
ところで、近年の組立式建築物においては、建設時にエアコン（冷暖房空調機）を同時に設置することが行われており、この場合には、建築構造物の組立が短時間に行われるのに比較して、エアコンの取付けに時間がかかるという問題があった。即ち、エアコンの取付けでは、室内機を室内に取り付けると共に室外機を外に設置し、この室内機と室外機とを各種パイプで接続する作業があり、これらの作業に手間がかかっていた。
【０００５】
一方、従来では、窓に設置するエアコンとして、上記特開２００２−３１７９５８号公報に示されるように、室内機と室外機を一体に形成したものが存在するが、このエアコンでは、取付け場所が限定されると共に、窓が部分的に塞がれるという不都合がある。
【０００６】
本考案は上記問題点に鑑みてなされたものであり、その目的は、窓用のエアコンではなく、室内機を室内壁に取り付ける通常のエアコンを建設作業の中で容易に組み付けることができるエアコン組付けユニット及びこれを用いた組立式建築物を提供することにある。
【課題を解決するための手段】
【０００７】
上記目的を達成するために、本考案請求項１に係るエアコン組付けユニットは、組立式建築物の壁部材を取り付ける２本の支柱間に配置可能とされ、かつ当該建築物の壁となる仕切り板を用い、この仕切り板の内側にエアコン室内機を一体的に取付け、外側にエアコン室外機を一体的に取り付けてなることを特徴とする。
請求項２に係る組立式建築物は、壁部材を２本の支柱間に取り付ける組立式建築物において、上記壁部材を取り付ける２本の支柱間に配置可能とされ、かつ当該建築物の壁となる仕切り板を用い、この仕切り板の内側にエアコン室内機を一体的に取付け、外側にエアコン室外機を一体的に取り付けてなるエアコン組付けユニットを製作し、このエアコン組付けユニットを上記２本の支柱間に取付け配置することを特徴とする。
請求項３に係る考案は、上記仕切り板が、鋼材からなる支持体を有し、この仕切り板支持体に上記エアコン室内機を取り付けるための室内機支持部と上記エアコン室外機を取り付けるための室外機支持部を一体的に設けたことを特徴とする。
【０００８】
上記の構成によれば、建築物壁部分の組立の際には、２本の支柱に形成されている例えば縦方向溝状空間に、室外機と室内機が一体となる仕切り板を壁部材と共に挿入・配置することにより、エアコンの室外機と室内機が建物の一部として簡単に組み付けられる。
【考案の効果】
【０００９】
本考案は、室内機及び室外機を壁となる仕切り板と共に一体化し、この仕切り板を壁部材と共に２本の支柱間に配置するので、室内機を室内壁に取り付ける通常のエアコンを建設作業の中で容易に組み付けることができるという利点がある。
【考案を実施するための最良の形態】
【００１０】
本考案のエアコン組付けユニットは、床置き型（実施例１）と壁掛け型（実施例２）等として実現することができる。
【実施例１】
【００１１】
図１には、本考案の実施例１に係るエアコン組付けユニット（床置き型）を側面から見た図［図（Ａ）］と外側から見た図［図（Ｂ）］が示されており、この図１では、仕切り板１０と支持体を実線で、エアコンの室内機１４と室外機１５を２点鎖線で示した。図２及び３には、エアコン組付けユニットを建築物の壁部分に取り付けた状態が示されている。図１において、仕切り板１０は角柱状鋼材を四角枠状に組んだ支持枠（鋼材枠）１０ａと、この支持枠１０ａの内側（室内機側）に溶接やボルト止め（ボルト及びナット）等で取り付けた両面カラーの鉄板１０ｂからなり、その幅Ｗａ（例えば８８０ｍｍ）は図２に示す壁部材１１の幅Ｗｂと略同一に形成する。また、この鉄板１０ｂには、接続管（束１９）を通す通し孔１２が開けられる。なお、上記鉄板１０ｂは、支持枠１０ａの外側（室外機側）に取り付けてもよい。
【００１２】
更に、この仕切り板１０の支持枠１０ａに、室内機１４のための室内機支持部１７と室外機１５のための室外機支持部１８が溶接、ボルト止め等で取り付けられる。この室内機支持部１７は、図１（Ａ）のように、鋼材を用いて形成した台部のみとしてもよいし、図示していないが、この台板と共に室内機１４の周囲を囲み保護するように両側面及び天井に鉄板を配置してもよい。一方、上記室外機支持部１８は、例えば鋼材等を用いて、室外機１５を内部に収納できる立体枠としている。
【００１３】
上記のような台板からなる上記室内機支持部１７に、室内機１４が両方に設けられた取付け孔を介してボルト止め等で固定され、他方の室外機支持部１８には、室外機１５が同様に取付け孔を介してボルト止め等で固定される。そして、これら室内機１４と室外機１５とが、通し孔１２を介して配置される複数の接続管の束１９で接続されることにより、床置き型のエアコンができ上がる。このようなエアコン組付けユニットは、予め工場等で組み立てられる。
【００１４】
上記の床置き型エアコンの組付けユニットは、図２に示されるようにして壁部材１１と共に支柱間に取り付けられる。即ち、実施例の建物は、半間（約９０ｃｍ）毎［１間（約１８０ｃｍ）毎等でもよい］に金属製支柱２２が配置されており、この支柱２２の間に、例えば９枚の壁部材１１が設けられる。
【００１５】
図４には、支柱２２間に取り付けた上記壁部材１１と仕切り板１０の縦断面図が示される。この図４のように、壁部材１１は、例えば内と外のカラー鉄板１１ａ，１１ｂで発泡ウレタン等からなる中間部材１１ｃを挟んだ構成とされ、この中間部材１１ｃの上下に、嵌合凹凸が形成されると共に、この壁部材１１の結合間には、ゴム（緩衝）部材２４が挿入される。また、この壁部材１１と仕切り板１０との間には、雨滴等の侵入を防止する水切り鉄板２５が取り付けられる。
【００１６】
図５には、支柱２２間に取り付けた仕切り板１０の横断面図が示されている。図示されるように、各支柱２２は、縦方向に開口幅（例えば４５ｍｍ程度）の溝状空間２２ｈを有しており、２本の支柱２２の溝状空間２２ｈに、上記仕切り板１０及び壁部材１１の両端部（この幅は例えば４５ｍｍ以下）を挿入できるようになっている。
【００１７】
上記実施例１の構成によれば、図２に示されるように、２本の支柱２２の溝状空間２２ｈに仕切り板１０の両端部を挿入しながら、一体となる室内機１４及び室外機１５を当該支柱２２間の下側に配置し、この仕切り板１０の上側に３枚の壁部材１１を支柱２２間に挿入配置することで、建築物の壁部分が組み立てられる。この状態が図３の２階部分に示されており、建築壁の組立て時に床置き型エアコン（１４，１５）が短時間に組み付けられることになる。
【実施例２】
【００１８】
図６には、本考案の実施例２に係るエアコン組付けユニット（壁掛け型）を側面から見た図［図（Ａ）］と外側から見た図［図（Ｂ）］が示されており、この図６でも、仕切り板２７と支持体を実線で、エアコンの室内機３０と室外機３１を２点鎖線で示した。この実施例２の仕切り板２７も、角柱状鋼材を四角枠状に組んだ支持枠２７ａと、この支持枠２７ａの内側（外側でもよい）に溶接等で取り付けた両面カラーの鉄板２７ｂからなり、その幅Ｗａは図２に示す壁部材１１の幅Ｗｂと略同一となる。上記鉄板２７ｂには、接続管（３３）を通す通し孔２８が設けられる。
【００１９】
そして、この実施例２では、上記鉄板２７ａが室内機３０のための室内機支持部となり、この鉄板２７ａに直接、室内機３０がネジ等で取り付けられる。一方、室外機３１を収納する立体枠の室外機支持部３２が上記仕切り板２７の支持枠２７ａに溶接やボルト止め（ボルト及びナット）等で取り付けられ、この室外機支持部３２に、室外機３１がボルト止め等で取付け孔を介して固定される。そして、これら室内機３０と室外機３１との間が、通し孔２８を介して配置される複数の接続管の束３３で接続されることにより、壁掛け型のエアコンができ上がる。このエアコン組付けユニットは、予め工場等で組み立てられる。
【００２０】
実施例２では、図３の１階部分に示されるように、２本の支柱２２間の下側にその溝状空間２２ｈを介してまず６枚の壁部材１１を挿入し（図５と同様に）、その上側の支柱２２間に室内機３０及び室外機３１を一体化した仕切り板２７を挿入配置することで、建築物の壁部分が組み立てられる。この実施例２においても、建築壁の組立て時に壁掛け型エアコン（３０，３１）が短時間に組み付けられる。
【図面の簡単な説明】
【００２１】
【図１】本考案の実施例１に係る床置き型のエアコン組付けユニットの構成を示し、図（Ａ）は側面図、図（Ｂ）は室外機側から見た図である。
【図２】実施例１のエアコン組付けユニットを壁部に取り付ける様子を示す図である。
【図３】実施例１（２階）及び実施例２（１階）のエアコン組付けユニットを壁部に取り付けた状態を示す図である。
【図４】実施例１のエアコン組付けユニットを壁部に取り付けたときの縦断面を示す図である。
【図５】実施例１のエアコン組付けユニットを壁部に取り付けたときの横断面を示す図である。
【図６】実施例２の壁掛け型のエアコン組付けユニットの構成を示し、図（Ａ）は側面図、図（Ｂ）は室外機側から見た図である。
【符号の説明】
【００２２】
１０，２７…仕切り板、  １０ａ，２７ａ…支持枠、
１０ｂ，２７ｂ…鉄板、  １１…壁部材、
１４，３０…室内機、    １５，３１…室外機、
１７…室内機支持部、
１８，３２…室外機支持部、
２２…支柱、            ２２ｈ…縦方向溝状空間。
【図１】
0003103586.tif 000003
【図２】
0003103586.tif 000004
【図３】
0003103586.tif 000005
【図４】
0003103586.tif 000006
【図５】
0003103586.tif 000007
【図６】
0003103586.tif 000008
【手続補正書】
【提出日】平成16年4月13日(2004.4.13)
【手続補正１】
【補正対象書類名】実用新案登録請求の範囲
【補正対象項目名】全文
【補正方法】変更
【補正の内容】
【実用新案登録請求の範囲】
【請求項１】
組立式建築物の壁部材を取り付けるための２本の支柱間に配置可能となる幅を有し、当該建築物の壁となる仕切り板と、
この仕切り板の内側に一体的に取り付けられたエアコン室内機と、
上記仕切り板の外側に一体的に取り付けられたエアコン室外機と、からなるエアコン組付けユニット。
【請求項２】
壁部材を２本の支柱間に取り付ける組立式建築物において、
上記２本の支柱間に配置可能となる幅を有し建築物の壁となる仕切り板と、この仕切り板の内側に一体的に取り付けられたエアコン室内機と、上記仕切り板の外側に一体的に取り付けられたエアコン室外機とからなるエアコン組付けユニットを用い、
このエアコン組付けユニットを上記２本の支柱間に取付け配置する組立式建築物。
【請求項３】
上記仕切り板は、鋼材からなる支持体を有し、この仕切り板支持体に上記エアコン室内機を取り付けるための室内機支持部と上記エアコン室外機を取り付けるための室外機支持部を一体的に設けたことを特徴とする上記請求項２記載の組立式建築物。
【手続補正２】
【補正対象書類名】明細書
【補正対象項目名】０００７
【補正方法】変更
【補正の内容】
【０００７】
上記目的を達成するために、本考案請求項１に係るエアコン組付けユニットは、組立式建築物の壁部材を取り付けるための２本の支柱間に配置可能となる幅を有し、当該建築物の壁となる仕切り板と、この仕切り板の内側に一体的に取り付けられたエアコン室内機と、上記仕切り板の外側に一体的に取り付けられたエアコン室外機と、からなることを特徴とする。
請求項２に係る考案は、壁部材を２本の支柱間に取り付ける組立式建築物において、上記２本の支柱間に配置可能となる幅を有し建築物の壁となる仕切り板と、この仕切り板の内側に一体的に取り付けられたエアコン室内機と、上記仕切り板の外側に一体的に取り付けられたエアコン室外機とからなるエアコン組付けユニットを用い、このエアコン組付けユニットを上記２本の支柱間に取付け配置することを特徴とする。
請求項３に係る考案は、上記仕切り板が、鋼材からなる支持体を有し、この仕切り板支持体に上記エアコン室内機を取り付けるための室内機支持部と上記エアコン室外機を取り付けるための室外機支持部を一体的に設けたことを特徴とする。